(57)【要約】【課題】複数枚の用紙を一度に印刷可能であり、また、印刷面を触ることなく印刷後の用紙を簡単に取り外せる印刷装置用台紙を提供すること。【解決手段】プリンタ２０において印刷可能サイズよりも小さなサイズの印刷対象用紙（カード）３０に印刷できるようにするため使用される印刷装置用の台紙４０は、上記カード３０をセットするためそれぞれ上記カード３０に対応する形状を持ち、それぞれ上下左右の４方向に枠４２を備えるように互いに間隔を開け配置された複数の凹部４１と、上記複数の凹部４１のそれぞれに設けられ、上記凹部４１の底面と当該台紙４０の背面とを貫通する穴４３と、を備える。【選択図】    図１
2004230655.tif 000002
【特許請求の範囲】
【請求項１】
印刷装置において印刷可能サイズよりも小さなサイズの印刷対象用紙に印刷できるようにするための印刷装置用台紙であって、
上記印刷対象用紙をセットするためそれぞれ上記印刷対象用紙に対応する形状を持ち、それぞれ上下左右の４方向に枠を備えるように互いに間隔を開け配置された複数の凹部と、
上記複数の凹部のそれぞれに設けられ、上記凹部の底面と当該台紙の背面とを貫通する穴と、
を具備することを特徴とする印刷装置用台紙。
【請求項２】
上記枠の表面にインク吸着性を持つ吸着面またはコーティング層を有することを特徴とする請求項１に記載の印刷装置用台紙。
【請求項３】
当該印刷装置用台紙の印刷装置への挿入方向を規定するマークを有することを特徴とする請求項１に記載の印刷装置用台紙。
【請求項４】
印刷装置において印刷可能サイズよりも小さなサイズの印刷対象用紙をセットするためそれぞれ上記印刷対象用紙に対応する形状を持ち、それぞれ上下左右の４方向に枠を備えるように互いに間隔を開け配置された複数の凹部と、これら複数の凹部のそれぞれに設けられ、上記凹部の底面と当該台紙の背面とを貫通する穴と、を備える印刷装置用台紙と、
上記印刷装置用台紙にセットされた複数の印刷対象用紙へ印刷を行う印刷装置と、
上記印刷装置用台紙にセットされた複数の印刷対象用紙それぞれに印刷すべき情報を作成し、その情報を上記印刷装置に印刷させるパーソナルコンピュータと、
からなることを特徴とするカード印刷システム。
【発明の詳細な説明】
【０００１】
【発明の属する技術分野】
本発明は、印刷装置の印刷可能サイズよりも小さなサイズの印刷対象用紙に印刷できるようにするため、そのような印刷対象用紙をセットする凹部を用意した印刷装置用台紙、及び、名刺や会員証等の各種カードを作成するために、そのような印刷装置用台紙を用いてカード状の印刷対象用紙に印刷するカード印刷システムに関する。
【０００２】
【従来の技術】
印刷装置において従来、印刷装置の印刷可能サイズよりも小さな用紙に印刷するため台紙を使用して印刷することが行われている。
【０００３】
例えば、各種プリベイドカードの表面への適宜の画像の印画を、個人又は個人に近いレベルにおいて容易に行い得るようにするため、ビデオメモリに格納された画像データのモニタ部における表示画面上に印画範囲を移動可能に画定する画定手段により画定し、この画定された範囲の画像が、この画定に際しての移動、縮小、拡大及び回転に応じて加工されてプリント部に与えられ、印画のための補助手段として用いるカード固定台紙上の印画領域、即ち、カード固定用台紙に保持されたカードの表面、に印画される技術が提案されている（例えば、特許文献１参照）。
【０００４】
また、汎用パソコンやプリンタを用いて容易かつ低廉化に名刺を作成できると共に、名刺の裏面への印刷ができるようにするため、再剥離性粘着層を有するシート基材の剥離性粘着面に剥離可能に印刷用紙を接着した粘着シートにおいて、粘着シート周縁を残しかつ名刺サイズの印刷用紙を複数枚取るためのハーフカットによる切断線を入れ、得られた印刷用紙の各領域について、その背後に位置する粘着シート部分に開口窓を設け、この開口窓を介しこれに露出する印刷用紙の裏面に裏面印刷する技術も提案されている（例えば、特許文献２参照）。
【０００５】
さらに、カード状の用紙だけでなく、ＣＤ−Ｒのレーベルへの直接プリントも可能なプリンタも各種販売されており、例えば、ＣＤ−Ｒの形状を持った凹所の周縁部外側に開口部を設けることで、印刷後のＣＤ−Ｒを手を汚すことなく取り外せるようにした台紙（トレイ）も使用されている（例えば、非特許文献１参照）。
【０００６】
【特許文献１】
特許第３１１２５９０号公報
【０００７】
【特許文献２】
特開平９−１７６５８２号公報
【０００８】
【非特許文献１】
カラリオ・プリンタ総合カタログ、カタログコード：ＣＬＰＭＳＧ１１Ａ（２００２．５．２８）、第５頁、エプソン販売株式会社，セイコーエプソン株式会社
【０００９】
【発明が解決しようとする課題】
しかしながら、上記特許文献１に開示されたようなカード固定用台紙では、カードの保持は、そのカードに対応する形状をなし、その底に粘着層を有する凹所に、カードを嵌め込むことによって行うようにしているため、印画後のカードをカード固定用台紙から取り外す時には、カードを指で強く把持し、粘着層からカードを引き剥がす必要が有り、これをまだインクが乾ききっていない状態で行うと、指や手が触れた箇所が擦れて印画面を損なったり、指や手が汚れるなどの問題がある。
【００１０】
また、上記特許文献２に開示されたような粘着シートは、裏面印刷は行わないものとすれば、開口窓から指を挿入し、カード裏面から押し出すことで、カード表面に触れることなくカードを取り外せるようになる。しかしながら、この特許文献２に開示され粘着シートは、印刷対象用紙を複数隙間なく配置しているため、隣接する用紙間で色移りの虞があり、多種類（異なるデザイン）のカードを同時に印刷することが不可能である。更には、同じ種類のカードであったとしても、その１枚のカードの上側と下側とで色が異なるようなものである場合には、やはり同時に印刷することはできない。従って、そのような場合には、多数枚のセットが可能な粘着シートであるにも関わらず、１枚ごとにセットせざるを得ない。
【００１１】
また、上記非特許文献１に開示されたような台紙（トレイ）では、凹所の周縁部外側に開口部を設けることで、その開口部より指を挿入し、ＣＤ−Ｒのレーベルに触れることなくカードの側面を容易に把持して、ＣＤ−Ｒを取り外せるようになっている。しかしながら、上記開口部は、ＣＤ−Ｒの形状に相当する凹部の外側にまで広がっているため、この開口部からインクが当該台紙（トレイ）の下まで飛んで、給送経路が汚れてしまう虞がある。
【００１２】
本発明は、上記の点に鑑みてなされたもので、複数枚の用紙（カード）を一度に印刷可能であり、また、印刷面を触ることなく印刷後の用紙（カード）を簡単に取り外せるようにし、以って、印刷後にインクが完全に乾いていなくても、指や手を汚すことなく、且つ、印刷後の用紙（カード）も汚すことなく品質を保てる、印刷装置用台紙及びそれを用いたカード印刷システムを提供することを目的とする。
【００１３】
【課題を解決するための手段】
上記の目的を達成するために、請求項１に記載の発明による印刷装置用台紙は、印刷装置において印刷可能サイズよりも小さなサイズの印刷対象用紙に印刷できるようにするための印刷装置用台紙であって、
上記印刷対象用紙をセットするためそれぞれ上記印刷対象用紙に対応する形状を持ち、それぞれ上下左右の４方向に枠を備えるように互いに間隔を開け配置された複数の凹部と、
上記複数の凹部のそれぞれに設けられ、上記凹部の底面と当該台紙の背面とを貫通する穴と、
を具備することを特徴とする。
【００１４】
また、請求項２に記載の発明による印刷装置用台紙は、請求項１に記載の発明による印刷装置用台紙において、上記枠の表面にインク吸着性を持つ吸着面またはコーティング層を有することを特徴とする。
【００１５】
また、請求項３に記載の発明による印刷装置用台紙は、請求項１に記載の発明による印刷装置用台紙において、当該印刷装置用台紙の印刷装置への挿入方向を規定するマークを有することを特徴とする。
【００１６】
また、請求項４に記載の発明による印刷装置用台紙を用いたカード印刷システムは、
印刷装置において印刷可能サイズよりも小さなサイズの印刷対象用紙をセットするためそれぞれ上記印刷対象用紙に対応する形状を持ち、それぞれ上下左右の４方向に枠を備えるように互いに間隔を開け配置された複数の凹部と、これら複数の凹部のそれぞれに設けられ、上記凹部の底面と当該台紙の背面とを貫通する穴と、を備える印刷装置用台紙と、
上記印刷装置用台紙にセットされた複数の印刷対象用紙へ印刷を行う印刷装置と、
上記印刷装置用台紙にセットされた複数の印刷対象用紙それぞれに印刷すべき情報を作成し、その情報を上記印刷装置に印刷させるパーソナルコンピュータと、
からなることを特徴とする。
【００１７】
【発明の実施の形態】
以下、本発明の一実施の形態を図面を参照して説明する。
【００１８】
図１の（Ａ）は、本発明の一実施の形態に係るカード印刷システムの構成を示す図で、このカード印刷システムは、カード編集用コンピュータ１０、プリンタ２０、印刷対象用紙（例えば、名刺や各種カードなど。以下、カードと称する）３０、及び台紙４０からなる。
【００１９】
ここで、上記カード編集用コンピュータ１０は、市販のパーソナルコンピュータが利用できるものであり、図示しない内蔵ハードディスク等に、カード作成ソフトウェアがインストールされている。このカード作成ソフトウェアは、上記カード３０に印刷すべき情報を作成し、上記プリンタ２０にその作成した情報を印刷させるものであり、本発明の要旨に直接関係するものではないので、その詳細な説明は省くが、例えば、図２に示すようなカード編集画面１１を上記カード編集用コンピュータ１０の表示画面に表示させ、デザイン領域１１Ａにおいて、マウスやキーボード操作によりカードデザインを行え、文字や画像などを自由にレイアウトして印刷すべき情報として作成・編集し、また、設定スライダ１１Ｂの操作により、画像の明るさ調整や色合いの調整を行う機能も備えている。
【００２０】
上記プリンタ２０は、インクジェットプリンタ等の市販の印刷装置である。但し、本発明では、台紙４０にカード３０をセットして印刷するため、このプリンタ２０は、ＣＤ−Ｒのレーベル等、厚みのあるものを印刷可能な印刷装置であることが必要である。
【００２１】
本発明の印刷作用台紙の一実施の形態としての上記台紙４０は、上記プリンタ２０で印刷可能なサイズのものであり、その上にカード３０をセットすることで、上記プリンタ２０では印刷不可能なサイズの用紙に直接印刷できるようにするためのものである。
【００２２】
また、本実施の形態においては、上記台紙４０には、図１の（Ｂ）及び（Ｃ）に示すように、カード３０のサイズの切込み（凹部４１）を開けてあり、カード３０をそこに嵌合させるようになっている。ここで、台紙４０には複数の凹部４１が用意してあるが、各凹部４１について、その上下左右の４方向にわたって枠４２が存在するように、間隔を開けて隣接する凹部４１が配置されている。そして、各凹部４１には、印刷後、印刷済みのカード３０を取り出し易いように、その凹部４１の底面から該台紙４０の背面まで貫通する、当該凹部４１のサイズよりも小さな穴４３が設けられている。なお、この穴４３のサイズは、鉛筆やボールペン等の棒状部材が挿入可能な大きさであれば良いが、人の指が挿入可能な大きさであることがより好ましい。
【００２３】
なお、上記カード３０及び台紙４０は、例えば、同一の又は異なる紙製であり、それぞれの表面には、インク吸着性に優れた素材又は表面処理により、同様のインク吸着性を持つコーティング層３１及びコーティング層４４が設けられている。
【００２４】
更に、上記台紙４０の表面の所定位置には、当該台紙４０の上記プリンタ２０への挿入方向を規定するマーク（矢印）４５が設けられている。
【００２５】
而して、本実施の形態に係る印刷装置用台紙及びそれを用いたカード印刷システムによれば、台紙４０には凹部４１が複数用意してあるため、それぞれの凹部４１にカード３０を嵌合させ、これを上記マーク４５により規定される方向にプリンタ２０にセットすることで、ＣＤ−Ｒのレーベルなどと同様の手順で印刷を行うことができる。
【００２６】
この場合、台紙４０に複数のカード３０をセットすることができるので、一度の印刷で複数のカード３０に印刷することができる。
【００２７】
またこのとき、図１の（Ｄ）に示すように、カード３０だけでなく、そのカード３０が嵌合された凹部４１の上下左右の４方向に設けられた枠４２の部分にも実際に印刷が行われ、これによって、カード３０のいわゆる縁なし印刷が可能となっている。しかも、このようにカード３０が嵌合される台紙４０の凹部４１には４方向に枠４２が設けられているため、印刷位置精度に若干の誤差が合ったとしても、あるいはインクがにじんで広がったとしても、あるカード３０の印刷のためのインクが、そのカード３０に隣接する別のカード３０に達する虞は無い。従って、従来では不可能であった、隣接するカード３０が異なる種類、あるいは同一であっても上側と下側とで色が異なるようなものであったとしても、一度の印刷で複数のカード３０に印刷することができる。
【００２８】
そして、印刷後、台紙４０の背面から凹部４１の穴４３に指等を入れることにより、カード３０を凹部４１から押し出し、台紙４０から簡単に取り出せる。従って、印刷直後でインクが乾いていないような場合であっても、カード３０の印刷面に触れることがないので、インクが手に付くようなことなく、簡単にカード３０を取り外せる。
【００２９】
また、コーティング層４４により、インクを素早く吸収することでインクのにじみを少なくでき、よって、カード３０と枠４２との間でインクが溜まってしまって、カード３０を取り外した時にカード３０が汚れたり、手が汚れることが無い。
【００３０】
以上、一実施の形態に基づいて本発明を説明したが、本発明は上述した一実施の形態に限定されるものではなく、本発明の要旨の範囲内で種々の変形や応用が可能なことは勿論である。
【００３１】
例えば、図１の（Ｃ）では、台紙４０を表面のコーティング層４４以外が一つの紙素材で一層構造で構成されているように示しているが、これは複数の紙素材あるいは複数の層構造で構成しても良い。また、カード３０のコーティング層３１と同様の特性を持ったコーティング層４４を持つものであれば、プラスチック等、紙以外の素材で構成しても良い。更には、コーティング層４４を持つ代わりに、台紙４０の素材そのもの又は少なくとも枠４２の表面がインク吸着特性を有する材料で構成されていても良い。
【００３２】
また、穴４３の形状は、円形に限らず、楕円や四角形等、どのようなものであっても良い。
【００３３】
更に、カード３０が矩形形状であるため、凹部４１も矩形形状として示したが、使用するカード３０の形状が別の形状であれば、それに合わせた形状としなければならないことは言うまでも無い。
【００３４】
（付記）
前記の具体的実施の形態から、以下のような構成の発明を抽出することができる。
【００３５】
（１）  印刷装置において印刷可能サイズよりも小さなサイズの印刷対象用紙に印刷できるようにするための印刷装置用台紙であって、
上記印刷対象用紙をセットするためそれぞれ上記印刷対象用紙に対応する形状を持ち、それぞれ上下左右の４方向に枠を備えるように互いに間隔を開け配置された複数の凹部と、
上記複数の凹部のそれぞれに設けられ、上記凹部の底面と当該台紙の背面とを貫通する穴と、
を具備することを特徴とする印刷装置用台紙。
【００３６】
即ち、この（１）に記載の印刷装置用台紙によれば、印刷装置用台紙には凹部が複数用意してあるため、それぞれの凹部に印刷対象用紙（カード）を嵌合させることで、印刷装置用台紙に複数の印刷対象用紙をセットすることができる、一度の印刷で複数の印刷対象用紙に印刷することができる。しかも、印刷対象用紙が嵌合される印刷装置用台紙の凹部には４方向に枠が設けられているため、印刷位置精度に若干の誤差が合ったとしても、あるいはインクがにじんで広がったとしても、ある印刷対象用紙の印刷のためのインクが、その印刷対象用紙に隣接する別の印刷対象用紙に達する虞は無い。従って、従来では不可能であった、隣接する印刷対象用紙が異なる種類、あるいは同一であっても上側と下側とで色が異なるようなものであったとしても、一度の印刷で複数の印刷対象用紙に印刷することができる。そして、印刷後、印刷装置用台紙の背面から凹部の穴に指等を入れることにより、印刷対象用紙を凹部から押し出し、印刷装置用台紙から簡単に取り出せる。従って、印刷直後でインクが乾いていないような場合であっても、印刷対象用紙の印刷面に触れることがないので、インクが手に付くようなことなく、簡単に印刷対象用紙を取り外せる。
【００３７】
（２）  上記枠の表面にインク吸着性を持つ吸着面またはコーティング層を有することを特徴とする（１）に記載の印刷装置用台紙。
【００３８】
即ち、この（２）に記載の印刷装置用台紙によれば、吸着面またはコーティング層により、インクを素早く吸収することでインクのにじみを少なくでき、よって、印刷対象用紙（カード）と枠との間でインクが溜まってしまって、印刷対象用紙を取り外した時に印刷対象用紙が汚れたり、手が汚れることが無い。
【００３９】
（３）  当該印刷装置用台紙の印刷装置への挿入方向を規定するマークを有することを特徴とする（１）に記載の印刷装置用台紙。
【００４０】
即ち、この（３）に記載の印刷装置用台紙によれば、マークによって規定される方向に印刷装置用台紙をセットすればよいので、挿入間違いの虞をなくし、確実な印刷を可能にする。
【００４１】
（４）  印刷装置において印刷可能サイズよりも小さなサイズの印刷対象用紙をセットするためそれぞれ上記印刷対象用紙に対応する形状を持ち、それぞれ上下左右の４方向に枠を備えるように互いに間隔を開け配置された複数の凹部と、これら複数の凹部のそれぞれに設けられ、上記凹部の底面と当該台紙の背面とを貫通する穴と、を備える印刷装置用台紙と、
上記印刷装置用台紙にセットされた複数の印刷対象用紙へ印刷を行う印刷装置と、
上記印刷装置用台紙にセットされた複数の印刷対象用紙それぞれに印刷すべき情報を作成し、その情報を上記印刷装置に印刷させるパーソナルコンピュータと、
からなることを特徴とするカード印刷システム。
【００４２】
即ち、この（４）に記載のカード印刷システムによれば、印刷装置用台紙には凹部が複数用意してあるため、それぞれの凹部に印刷対象用紙（カード）を嵌合させることで、印刷装置用台紙に複数の印刷対象用紙をセットすることができる、一度の印刷で複数の印刷対象用紙に印刷することができる。しかも、印刷対象用紙が嵌合される印刷装置用台紙の凹部には４方向に枠が設けられているため、印刷位置精度に若干の誤差が合ったとしても、あるいはインクがにじんで広がったとしても、ある印刷対象用紙の印刷のためのインクが、その印刷対象用紙に隣接する別の印刷対象用紙に達する虞は無い。従って、従来では不可能であった、隣接する印刷対象用紙が異なる種類、あるいは同一であっても上側と下側とで色が異なるようなものであったとしても、一度の印刷で複数の印刷対象用紙に印刷することができる。そして、印刷後、印刷装置用台紙の背面から凹部の穴に指等を入れることにより、印刷対象用紙を凹部から押し出し、印刷装置用台紙から簡単に取り出せる。従って、印刷直後でインクが乾いていないような場合であっても、印刷対象用紙の印刷面に触れることがないので、インクが手に付くようなことなく、簡単に印刷対象用紙を取り外せる。
【００４３】
【発明の効果】
以上詳述したように、本発明によれば、複数枚の用紙（カード）を一度に印刷可能であり、また、印刷面を触ることなく印刷後の用紙（カード）を簡単に取り外せるようにし、以って、印刷後にインクが完全に乾いていなくても、指や手を汚すことなく、且つ、印刷後の用紙（カード）も汚すことなく品質を保てる、印刷装置用台紙及びそれを用いたカード印刷システムを提供することができる。
【図面の簡単な説明】
【図１】（Ａ）は本発明の一実施の形態に係るカード印刷システムの構成を示す図、（Ｂ）は本発明の一実施の形態に係る印刷装置用台紙としての台紙の平面図、（Ｃ）は台紙と印刷対象用紙（カード）の断面図であり、（Ｄ）は印刷後の台紙を示す図である。
【図２】カード編集画面を示す図である。
【符号の説明】
１０…カード編集用コンピュータ、１１…カード編集画面、１１Ａ…デザイン領域、１１Ｂ…設定スライダ、２０…プリンタ、３０…印刷対象用紙（カード）、３１…コーティング層、４０…台紙、４１…凹部、４２…枠、４３…穴、４４…コーティング層、４５…マーク。
【図１】
2004230655.tif 000003
【図２】
2004230655.tif 000004